(57)【要約】【課題】移動板駆動機構の構造をユニット化し、組み立てが容易で、部品点数も少なく、製品寿命としても電気的にも信頼性の高いＩＣソケットを提供する。【解決手段】操作カバーの上下動によりソケット基板の収容室内で所定方向水平に往復動可能であり、該往復動に伴い前記コンタクト上端部の弾性を有する２つの接片を開閉する移動板を含むオープントップ型ＩＣソケットにおいて、前記移動板を挟んで対向し、その末端部が前記操作カバーに当接する一対の第１駆動レバー、該一対の第１駆動レバー基端部を連結し、該第１駆動レバーとともに回動し得る第１回転軸、該第１回転軸と一体に形成され、前記移動板の第１の側面に当接して該移動板を所定方向に移動させ得る、少なくとも１つの第１駆動カム、及び前記第１回転軸を回転可能に軸支し、前記第１駆動カムを収容する函状の第１回転軸支持体とを有する第１の移動板駆動機構を備えている。【選択図】　　　　図１
2004047137.tif 000002
【特許請求の範囲】
【請求項１】
操作カバーの上下動によりソケット基板の収容室内で所定方向水平に往復動可能であり、該往復動に伴い前記コンタクト上端部の弾性を有する２つの接片を開閉する移動板を含むオープントップ型ＩＣソケットにおいて、
前記移動板を挟んで対向し、その末端部が前記操作カバーに当接する一対の第１駆動レバー、
該一対の第１駆動レバー基端部を連結し、該第１駆動レバーとともに回動し得る第１回転軸、
該第１回転軸と一体に形成され、前記移動板の第１の側面に当接して該移動板を所定方向に移動させ得る、少なくとも１つの第１駆動カム、及び
前記第１回転軸を回転可能に軸支し、前記第１駆動カムを収容する函状の第１回転軸支持体、
とを有する第１の移動板駆動機構を備えていることを特徴とするオープントップ型ＩＣソケット。
【請求項２】
前記第１駆動カムは、前記操作カバーが当初位置から押し下げられることにより前記一対の第１駆動レバーを介して回転し、該第１駆動カムの回転により、前記移動板を当初位置から所定方向に移動させ得ることを特徴とする請求項１に記載のオープントップ型ＩＣソケット。
【請求項３】
前記移動板は、該移動板が当初位置から所定方向に移動する距離を所定距離以内とするために、前記第１の側面に対向する第２の側面にストッパが突出形成されていることを特徴とする請求項２に記載のオープントップ型ＩＣソケット。
【請求項４】
前記第１回転軸は、前記第１回転軸支持体内において、前記操作レバーの押し下げにより回転する方向と逆方向にバネにより付勢されていることを特徴とする請求項１乃至３のいずれかに記載のオープントップ型ＩＣソケット。
【請求項５】
前記第１回転軸支持体は、前記ソケット基板収容室内壁に固定されることを特徴とする請求項１乃至４のいずれかに記載のオープントップ型ＩＣソケット。
【請求項６】
前記移動板を挟んで対向し、その末端部が前記操作カバーに当接する一対の第２駆動レバー、
該一対の第２駆動レバー基端部を連結し、該第２駆動レバーとともに回動し得る第２回転軸、
該第２回転軸と一体に形成され、前記移動板の第１の側面と対向する該移動板の第２の側面に当接して該移動板を前記所定方向と逆方向に移動させ得る、少なくとも１つの第２駆動カム、及び
前記第２回転軸を回転可能に軸支し、前記第２駆動カムを収容する函状の第２回転軸支持体、
とを有する第２の移動板駆動機構をさらに備えていることを特徴とする請求項１に記載のオープントップ型ＩＣソケット。
【請求項７】
前記第２駆動カムは、前記操作カバーが押し下げられた位置から当初位置に戻る時、前記一対の第２駆動レバーを介して回転し、該第２駆動カムの回転により、前記移動板を移動位置から当初位置に移動させ得ることを特徴とする請求項６に記載のオープントップ型ＩＣソケット。
【請求項８】
前記第２回転軸は、前記第２回転軸支持体内において、前記操作レバーの押し下げにより回転する方向と逆方向にバネにより付勢されていることを特徴とする請求項６又は７に記載のオープントップ型ＩＣソケット。
【請求項９】
前記第２回転軸支持体は、前記第１回転軸支持体が固定されている前記ソケット基板収容室内壁に対向する内壁に固定されることを特徴とする請求項６乃至８のいずれかに記載のオープントップ型ＩＣソケット。
【発明の詳細な説明】
【０００１】
【発明の属する技術分野】
本発明は、ＢＧＡ型ＩＣパッケージを搭載するオープントップ型ＩＣソケットに関し、より詳細には、ユニット化された移動板駆動機構を有するオープントップ型ＩＣソケットに関する。
【０００２】
【従来の技術】
従来、ＢＧＡ（Ｂａｌｌ　Ｇｒｉｄ　Ａｒｒａｙ）型ＩＣパッケージの電極パッドとしての半田ボールを２つのコンタクト接片で挟持するタイプのオープントップ型ＩＣソケットにおいては、ＩＣパッケージが載置される移動板は、操作カバーの上下動に伴って水平方向に往復動する。上記２つのコンタクト接片の内の一方の接片は、該移動板に連動して移動し、その結果２つのコンタクト接片は開閉されることになる。この２つのコンタクト接片の開閉により、ＩＣパッケージの半田ボールが挟持される。
【０００３】
図１２を用いて、上記従来例の構造を簡単に説明する。図１２（ａ）は、ＩＣソケットの上面図、（ｂ）は、ＩＣソケットの正面図である。
【０００４】
ＩＣソケット１００は、図１２に示されるように、操作カバー１０１、ソケット基板１０２、移動板１０３、第１駆動レバー１０４、第２駆動レバー１０５、コンタクト１０８、レバー回動軸１０９、移動板駆動軸１１０を備えている。
【０００５】
操作カバー１０１は、ソケット基板１０２に形成されたカバーガイド溝１０７に案内され、コイルバネ１１１を介してソケット基板１０２に対して上下動自在に形成されている。
【０００６】
移動板１０３には、載置されるＩＣパッケージ（図示せず）の電極パッドとしての半田ボールに対応する複数の貫通孔１１２、及びＩＣパッケージが載置される時、該ＩＣパッケージの半田ボールが前記貫通孔１１２に位置するように、該ＩＣパッケージが案内される位置決め機構１０６ａ〜ｄが設けられている。移動板１０３は、該移動板１０３を駆動する機構としての第１駆動レバー１０４、第２駆動レバー１０５を介して、操作カバー１０１の上下動に伴って水平方向（図１２では、左方向）へ所定量往復動可能に形成されている。また、移動板１０３に形成されている貫通孔１１２には、ＩＣパッケージの半田ボールを挟持するコンタクト１０８の２つの接片が臨んでいる。さらに、該コンタクト１０８上端部の２つの接片は、通常閉じる方向に弾性力を付与されているが、２つの接片のうちの一方が移動板１０３の移動に連動するように構成されていることにより、該移動板１０３が左方向に移動すると、コンタクト１０８の２つの接片が開く。
【０００７】
第１駆動レバー１０４及び第２駆動レバー１０５は、図１２（ａ）、（ｂ）に示されるように、互いに交差して移動板１０３とソケット基板１０２との間に配置され、これを１組として移動板１０３を挟んで相対する位置に２組設けられている。第１駆動レバー１０４及び第２駆動レバー１０５のそれぞれの末端部１０４ａ、１０５ａは、操作カバー１０１に当接している。
【０００８】
第１駆動レバー１０４は、その基端部１０４ｂにおいて、ソケット基板１０２の軸固定孔１０９ａに支持されているレバー回転軸１０９に回動自在に連結されるとともに、移動板１０３に回動自在に支持されている移動板駆動軸１１０に回動自在に又は一体的に連結されている。レバー回動軸１０９は、移動板駆動軸１１０の真下に配置されている。同様に第２駆動レバー１０５も、レバー回転軸１０９及び移動板駆動軸１１０と連結されているが、第１駆動レバー１０４と異なり、レバー回転軸１０９は、移動板駆動軸１１０の真上に配置されている（なお、移動板駆動機構等の詳細については、例えば、特公平６−３０２８０号公報、特許第３０５９９４６号公報等参照）。
【０００９】
上記構成を有するＩＣソケット１００にＩＣパッケージを搭載するには、先ず、操作カバー１０１を自動機又は手動で押圧して、該操作カバー１０１をガイド溝１０７に沿わせて下方に押し下げる。該操作カバー１０１の下方への移動によりこれに当接している第１及び第２駆動レバー１０４、１０５が、それぞれのレバー回転軸１０９周りに、それぞれ反時計方向及び時計方向に回動する。第１駆動レバー１０４の反時計方向への回転及び第２駆動レバー１０５の時計方向への回転により、各レバー１０４，１０５に連結される移動板駆動軸１１０は、図１２（ｂ）に矢印ｘで示されるように、左方向に移動（回動）する。移動板駆動軸１１０は、移動板１０３に支持されているから、上記レバー１０４、１０５の回動により移動板１０３は左方向に移動する。移動板１０３の左方向への移動に連動して、コンタクト１０８の２つの接片が開いた状態になる。
【００１０】
コンタクト１０８の２つの接片が開いている時に、ＩＣパッケージが移動板１０３上に載置される。この時、ＩＣパッケージは、位置決め機構１０６ａ〜ｄに位置決めされ、ＩＣパッケージの半田ボールが、移動板１０３の対応する貫通孔１１２内に入り込む。
【００１１】
次に、操作カバー１０１の押圧力を解除すると、該操作カバー１０１は、コイルバネ１１１の復元力により元の位置に戻り、移動板１０３もコンタクト１０８の２つの弾性接片のばね力又は別途設けられているバネ（図示せず）により右方向に戻る。この時、ＩＣパッケージの半田ボールが２つの接片間に挟持され、結果として、ＩＣパッケージとコンタクトが電気的に接続される。
【００１２】
ＩＣパッケージが搭載されたＩＣソケットは、テスト用回路基板に装着されたり、機器のプリント配線基板に実装される。
【００１３】
【発明が解決しようとする課題】
ところで、ＩＣパッケージをＩＣソケットに搭載するに際し、操作カバー１０１を押し下げるのに、相当の力、例えば、大型のＩＣソケットにおいては略３０ｋｇの力が加えられる。このような大きな力が操作カバー１０２に加えられると、該操作カバー１０２に当接する第１、第２駆動レバー１０４、１０５それぞれのレバー回転軸１０９にも大きな力が加えられる。該レバー回転軸１０９は、ソケット基板１０２の側壁に形成されている軸固定孔１０９ａによってのみ支持されているにすぎない。したがって、このような大きな力がレバー回転軸１０９に加えられると、ソケット基板１０２の側壁は、その力に耐えることができず、変形する恐れがある。このような変形が繰り返されると、ソケット基板１０２の側壁が疲労し、ＩＣソケット自体の寿命が短くなる。
【００１４】
また、ソケット基板１０２の側壁の変形は、レバー回転軸１０９と移動板駆動軸１１０との間に捩れや歪を生じ、移動板１０３を移動させるのに十分な力が移動板駆動軸１１０に伝達されず、コンタクト１０８の２つの弾性接片の開き量が不足する。このようにコンタクト１０８の２つの弾性接片の開き量が不足すると、ＩＣパッケージの半田ボールを充分に挟持することができず、電気的接続が不確実となり、結果として、ＩＣソケットの信頼性を損なうことになる。また、この２つの接片の開き量不足は、移動板駆動機構を構成する第１、第２駆動レバー１０４、１０５に連結されるレバー回転軸１０９や移動板駆動軸１１０等の部品のバラツキがソケット基板１０２の変形に累積されることによりさらに拡大する。
【００１５】
本発明は、このような問題点に鑑み、移動板駆動機構の構造をユニット化し、組み立てが容易で、部品点数も少なく、製品寿命としても電気的にも信頼性の高いＩＣソケットを提供することを目的としている。
【００１６】
【課題を解決するための手段】
上記目的を達成するために本発明のＩＣソケットは、操作カバーの上下動によりソケット基板の収容室内で所定方向水平に往復動可能であり、該往復動に伴い前記コンタクト上端部の弾性を有する２つの接片を開閉する移動板を含むオープントップ型ＩＣソケットにおいて、前記移動板を挟んで対向し、その末端部が前記操作カバーに当接する一対の第１駆動レバー、該一対の第１駆動レバー基端部を連結し、該第１駆動レバーとともに回動し得る第１回転軸、該第１回転軸と一体に形成され、前記移動板の第１の側面に当接して該移動板を所定方向に移動させ得る、少なくとも１つの第１駆動カム、及び前記第１回転軸を回転可能に軸支し、前記第１駆動カムを収容する函状の第１回転軸支持体とを有する第１の移動板駆動機構を備えていることを特徴とする。
【００１７】
さらに、本発明のＩＣソケットは、前記移動板を挟んで対向し、その末端部が前記操作カバーに当接する一対の第２駆動レバー、該一対の第２駆動レバー基端部を連結し、該第２駆動レバーとともに回動し得る第２回転軸、該第２回転軸と一体に形成され、前記移動板の第１の側面と対向する該移動板の第２の側面に当接して該移動板を前記所定方向と逆方向に移動させ得る、少なくとも１つの第２駆動カム、及び前記第２回転軸を回転可能に軸支し、前記第２駆動カムを収容する函状の第２回転軸支持体とを有する第２の移動板駆動機構を備えていることが好ましい。
【００１８】
【発明の実施の形態】
（第１実施例）
本発明に係る移動板駆動機構を有するＩＣソケットの第１実施例について、図１〜７を用いて説明する。図１は、操作カバーを取り除いた状態の本発明の第１実施例に係るＩＣソケットであり、（ａ）は、その上面図、（ｂ）は、その正面図である。図２は、移動板を示しており、（ａ）は、その上面図、（ｂ）は、その正面図である。図３は、第１の移動板駆動機構を構成する第１レバーユニットであり、（ａ）は、その上面図、（ｂ）は、その正面図である。図４は、第１の移動板駆動機構を構成する第１回動軸支持体であって、（ａ）は、その上面図、（ｂ）は、その正面図である。図５は、第１の移動板駆動機構の動作を説明する図であり、（ａ）は、フリーの状態、（ｂ）は、押圧状態を示す。図６は、第２の移動板駆動機構を構成する第２レバーユニットであり、（ａ）は、その上面図、（ｂ）は、その正面図である。図７は、第２の移動板駆動機構を構成する第２回動軸支持体であって、（ａ）は、その上面図、（ｂ）は、その正面図である。
【００１９】
ＩＣソケット１００は、図１に示されるように、操作カバー（図示せず）、ソケット基板２０、移動板３０、第１の移動板駆動機構４０、第２の移動板駆動機構５０を備える。なお、操作カバーは、従来例と同様の構成を有するので、説明を省略する。
【００２０】
ソケット基板２０の上方を開放された収容室２１内に、移動板３０及び該移動板３０を挟んで第１、第２の移動板駆動機構４０、５０が所定位置に配置され、収容される。なお、２２は、ソケット基板２０側壁に形成されている、操作カバーの上下動を案内するためのカバーガイド溝である。
【００２１】
移動板３０は、所定方向（本実施例においては、図１の左方向）への水平移動（往移動）及び逆方向（図１の右方向）への水平移動（復移動）が可能なように、ソケット基板２０の収容室２１内に設けられている台座（不図示）上に水平に支持される。移動板３０は、図２に示されるように、載置されるＩＣパッケージ（不図示）の電極パッドに対応して設けられているコンタクト（不図示）上端部の２つの弾性接片が臨む多数の貫通孔３２が形成されている。移動板３０の第１の側面３０ａには、後述する第１の移動板駆動機構４０の第１駆動カム４３が、第２の側面３０ｂには、第２の移動板駆動機構５０の第２駆動カム５３が当接する。これにより、移動板３０は、台座上で往復動することが可能となる。ガイド３３は、該移動板３０下面に垂設され、ソケット基板２０の台座側面に沿って復帰する移動板３０を案内する。
【００２２】
なお、移動板３０は、上記従来例と同様、コンタクト上端部に形成される２つの弾性接片のうち、一方の弾性接片と連結されているので、該コンタクト接片の弾性力によっても、移動後の位置から元の位置に復帰する、すなわち、所定方向への移動と逆方向（本実施例では、右方向）へ移動することが可能である。また、該移動板３０の元の位置への復帰を助けるために、例えば、ソケット基板２０の収容室２１内壁と移動板３０の第２の側面３０ｂとの間に圧縮コイルバネを介在させてもよい。
【００２３】
第１の移動板駆動機構４０は、図３に示される第１レバーユニット４１及び図４に示される第１回転軸支持体４５を備えている。第１レバーユニット４１は、自由端としての末端部４４ａ及び基端部４４ｂを有する一対の第１駆動レバー４４、４４、該第１駆動レバー４４、４４のそれぞれの基端部４４ｂ、４４ｂ間を一体的に連結する第１回転軸４２を含んでいる。第１レバーユニット４１は、本実施例においては、操作カバーの押し下げ動作により反時計方向に回動する。第１レバーユニット４１は、さらに、図３（ａ）に示されるように、第１回転軸４２の軸方向途中に適当な間隔をおいて配置されている複数の第１駆動カム４３（図においては、３つの駆動カム４３ａ、４３ｂ、４３ｃ）を含んでいる。この複数の第１駆動カム４３それぞれは、いずれも同じ上下に長い略長方形状の断面形状を有し、図３（ｂ）に示されるように、第１回転軸４２が第１駆動カム４３の長方形断面の底部後方に位置するように、第１回転軸４２に一体に形成されている。第１駆動カム４３の形状は、図に示されるように、該第１駆動カムの反時計方向の回転に伴って、移動板３０を所定方向（本実施例では、左方向）に押すような形状であればどのような形状であってもよいが、製造上本実施例のように単純な形状であることが好ましい。また、第１駆動カム４３は、第１回転軸４２の反時計方向への回転を可能とするため、長方形断面の底部前方が切り欠かれたように形成されていることが好ましい。さらに、第１駆動カムの数は、少なくとも１つあればよいが、製造の容易性及びコスト等を考慮すると、本実施例のように３つ程設けることが好ましい。なお、第１駆動レバー４４は、圧延鋼板から打抜き加工により作成され、第１回転軸４２は、アルミダイキャスト製で、鋳造加工後、切削加工により作成される。
【００２４】
複数の第１駆動カム４３を有する第１回転軸４２は、第１回転軸支持体４５内に回動自在に収容される。第１回転軸支持体４５は、上壁４５ａ、底壁４５ｂ、左右の側壁４５ｃ、４５ｄ及び後壁４５ｅを有し、第１駆動カム４３が移動板３０に当接できるように、移動板３０に向き合う面が開放された、概略直方体の函形状をなしている。さらに、第１回転軸支持体４５は、その両側壁４５ｃ、４５ｄ下方に、第１レバーユニット４１の第１回転軸４２を軸受けする軸受溝４６が形成されるとともに、その後壁４５ｅ後面側にソケット基板２０の収容室２１内壁に形成されているアリオス２３とアリ継ぎ結合するアリメス（アリ溝）４７が形成されている。この第１回転軸支持体４５も、アルミダイキャストにより製造される。
【００２５】
また、第１回転軸４２は、第１回転軸支持体４５に対して時計方向にネジリバネにより付勢されていてもよい。この場合、該ネジリバネの付勢力は、操作カバーの押し下げにより回動される第１回転軸４２を常に元の状態（当初位置）に戻す方向に作用する。したがって、第１回転軸４２と一体的に連結されている第１駆動レバー４４の自由端としての末端部４４ａに当接する操作カバーを常に上方に押し上げる（すなわち、操作カバーを当初位置に戻す）ように作用する。
【００２６】
第１の移動板駆動機構４０は、上記の通りそれ自体が予め一体化（ユニット化）されているので、移動板３０とソケット基板２０内壁との間に単に嵌めこめば良く、具体的には、図１（ａ）に示されるように、アリ継ぎ機構（アリオス２３とアリメス４７）を介して該ソケット基板２０の内壁に固定するだけで容易に組み立てられる。最終的に、第１の移動板駆動機構４０は、第１駆動レバー４４の自由端４４ａが、操作カバーに当接し、第１駆動カム４３が、移動板３０に当接するように、ＩＣソケット１００に組み込まれる。
【００２７】
このようにしてＩＣソケット１００に組み込まれた第１の移動板駆動機構４０は、操作カバーが押し下げられると、一対の第１駆動レバー４４、４４が、該一対の第１駆動レバー４４と一体的に連結されている第１回転軸４２周りに、該第１回転軸４２とともに反時計方向に回転し、それにより第１駆動カム４３が反時計方向に回転し（図５参照）、第１駆動カム４３が移動板３０を押し、結果として、移動板３０を所定方向（本実施例において、図１左方向）に移動（往移動）させることができる。
【００２８】
第２の移動板駆動機構５０は、移動板３０を挟んで上記第１の移動板駆動機構４０に対向する位置に設けられる。第２の移動板駆動機構は、図６に示されるレバーユニット５１及び図７に示される第２回転軸支持体５５を含んでいる。第２レバーユニット５１は、第１レバーユニット４１と比べて、第２回転軸５２の複数の第２駆動カム５３の形状を除いてほぼ同じ形状を有している。すなわち、第２レバーユニット５１は、自由端としての末端部５４ａ及び基端部５４ｂを有する一対の第２駆動レバー５４、５４、該第２駆動レバー５４、５４のそれぞれの基端部５４ｂ、５４ｂ間を一体的に連結する第２回転軸５２を含んでいる。第２レバーユニット５１は、本実施例においては、操作カバーの押し下げ動作により時計方向に回動する。第２レバーユニット５１は、また、図６（ａ）に示されるように、第２回転軸５２の軸方向途中に適当な間隔をおいて配置されている複数の第２駆動カム５３（図においては、３つの駆動カム５３ａ、５３ｂ、５３ｃ）を含んでいる。第２駆動カム５３は、時計方向に回動する時、カム面５３ａが移動板３０に当接する。したがって、該第２駆動カム５３の当接面５３ａは、第１駆動カム４３により図１の左方向すなわち第２駆動カム側へ移動する移動板３０の動きを妨げないような形状を有していればどのような形状であってもよい。
【００２９】
第２回転軸支持体５５は、第１回転軸支持体４５と略同じ大きさを有し、複数の第２駆動カム５３を回動自在に収容し得るように、上壁５５ａ、底壁５５ｂ、左右の側壁５５ｃ、５５ｄ及び後壁５５ｅを有し、第２駆動カム５３のカム面５３ａが移動板３０に当接できるように、移動板３０に向き合う面が開放された、略直方体の函形状をなしている（図７参照）。第２回転軸支持体５５は、その両側壁５５ｃ、５５ｄ上方に、第２レバーユニット５１の第２回転軸５２を軸受けする軸受溝５６が形成されるとともに、その後壁５５ｅ後面側にソケット基板２０の収容室２１内壁に形成されているアリオス２３とアリ継ぎ結合するアリメス５７が形成されている。なお、上壁５５ａ及び左右の側壁５５ｃ、５５ｄは、ＩＣソケット１００に組み込まれた時、移動板３０の移動を妨げないように、少なくとも移動板３０の移動距離ｔだけ該移動板３０と間隔を置いて位置すべく、その奥行が短く形成されている（図１（ａ）、図７（ｂ）参照）。また、第２回転軸５２は、第２回転軸支持体５５に対して反時計方向にネジリバネにより付勢されていてもよい。この場合、第１回転軸の付勢力と同じであることが好ましい。
【００３０】
第２の移動板駆動機構５０も、上記の通り予め一体化（ユニット化）されているので、図１（ａ）に示されるように、移動板３０とソケット基板２０との間に単に嵌めこむだけでよい。最終的に、第２の移動板駆動機構５０も、第２駆動レバー５４の自由端５４ａが、操作カバーに当接し、第２駆動カム５３が、移動板３０に当接するように、ＩＣソケット１００に組み込まれる。
【００３１】
このようにしてＩＣソケット１００に組み込まれた第２の移動板駆動機構５０は、操作カバーが押し下げられると、第２駆動レバー５４、５４が、該第２駆動レバー５４と一体的に連結されている第２回転軸５２周りに、該第２回転軸５２とともに時計方向に回転し、それにより第２駆動カム５３が時計方向に回転し、結果として、移動板３０の所定方向（本実施例において、図１左方向）への移動を可能とする。また、操作カバーの押し下げ力が解除された時、第２回転軸は、元の状態に戻るべく反時計方向に回動し、第２回転軸５２と一体の第２駆動カム５３も回動し、移動板３０を図１右方向へ押し、結果として移動板３０が元の位置に戻る（復移動する）のを助ける。
【００３２】
（第２実施例）
図８〜１１には、本発明の第２実施例が示されている。図８は、操作カバーを取り除いた状態の本発明の第１実施例に係るＩＣソケットの上面図である。図９は、移動板を示しており、（ａ）は、その上面図、（ｂ）は、その正面図である。図１０は、第２の移動板駆動機構を構成する第２レバーユニットであり、（ａ）はその上面図、（ｂ）はその正面図である。図１１は、第２の移動板駆動機構を構成する第２回動軸支持体であって、（ａ）はその上面図、（ｂ）はその正面図である。
【００３３】
本第２実施例においては、図９により詳細に示されるように、移動板３０の第２の側面３１ｂの両側に一対のストッパ３４が突出形成されている点、第２の移動板駆動機構５０の第２回転軸支持体５５の長さが、一対のストッパ３４の分だけ第１実施例と比べて短く形成されている点で上記第１実施例とその構成を異にする。なお、その他の構成は、第１実施例と全く同じである。
【００３４】
具体的には、一対のストッパ３４、３４は、図９（ａ）、（ｂ）に示されるように、垂直方向に延びる脚部３４ａを有する略Ｌ字形を成しており、移動板３０の第１の側面３１ａに対向する第２の側面３１ｂの両側端から突出形成されている。また、図８に示されるように、ストッパ３４の先端面３４ｂとソケット基板２０の収容室２１内壁との間に、移動板３０の移動量ｔに相当する間隙を有するように、ストッパ３４の突出長さが定められている。なお、ストッパ３４は、脚部３４ａを備えていなくともよい。
【００３５】
このようなストッパ３４を移動板３０から突出形成することにより、移動板３０の移動が過度にならないように移動板３０の移動量が制限されるとともに、該移動板３０により開閉されるコンタクト先端が移動板３０の移動により開かれた時、コンタクト先端の位置が搭載されたＩＣパッケージの接片部からずれないようにしている。したがって、コンタクト先端は、移動板３０が元の位置に戻ることにより開かれたコンタクトの先端が閉じられる時、ＩＣパッケージの電極パッドを確実に挟持することができる。
【００３６】
第２の移動板駆動機構５０は、移動板３０がストッパ３４を備えることに伴い、第１実施例における構造に比べて若干変更される。第１に、第２回転軸支持体５５は、図８、１１（ａ）に示されるように、上記したようにその長手方向の長さがストッパ３４を設けた分だけ単純に短くされる。第２に、図１０に示されるように、複数の駆動カム５３（５３ａ、５３ｂ、５３ｃ）が、ストッパ３４を避け、短くされた第２回転軸支持体５５に収容可能とすべく第１実施例と比べて回転軸５２の中央側に寄せられる。この場合、複数の駆動カム５３間の間隔、該駆動カム５３の長手方向の長さ及び駆動カム５３の数（本実施例では、該駆動カム５３は、回転軸５２に３つ設けられている。）は、必要に応じて適宜変更されてもよい。
【００３７】
以上、本発明に係る２つの実施例につき説明したが、本発明は、当該実施例に限られることはない。例えば、本実施例では、図１において、第１の移動板駆動機構４０は、移動板３０を挟んで右側に配置され、第２の移動板駆動機構５０は、左側に配置されているが、左右反対に配置されていてもよいし、第１及び第２の移動板駆動機構４０、５０は、図１において移動板を挟んで上下に対向して配置されていてもよい。
【００３８】
また、第２の移動板駆動機構５０の第２回転軸５２の第２駆動カム５３は、省略されてもよい。さらに言えば、操作カバーの押し下げ時のバランスなどに問題が無ければ、第２の移動板駆動機構５０自体も省略されてもよい。
【００３９】
【発明の効果】
本発明は、以上述べたように、ＩＣソケットの移動板駆動機構をユニット化したので、操作カバーへの押圧力がソケット基板に直接作用することが無く、したがってソケット基板の変形はほとんどない。また、該押圧力が直接作用する回転軸支持体は、変形するとしても、該回転軸が回転される限り、回転軸と一体形成されている駆動カムが移動板を所定方向に移動させるので、コンタクト上端部の２つの弾性接片の所定量の開閉が確実に行われる。これにより、ＩＣパッケージの電極パッドは、該２つの弾性接片にしっかりと挟持され、確実な電気的接続が得られる。さらに、回転軸支持体の繰り返し変形による疲労があるとしても、該回転軸支持体又は移動板駆動機構のみを交換すればよい。
【００４０】
また、上記移動板駆動機構は、構造が簡単であるとともに、従来例と比べて部品点数も少なくなり、製造が容易である。さらに、移動板駆動機構がユニット化されたことにより、ＩＣソケットへの組み込みも容易である。
【図面の簡単な説明】
【図１】操作カバーを取り除いた状態の本発明の第１実施例に係るＩＣソケットであり、（ａ）は、その上面図、（ｂ）は、その正面図である。
【図２】移動板を示しており、（ａ）は、その上面図、（ｂ）は、その正面図である。
【図３】第１の移動板駆動機構を構成する第１レバーユニットであり、（ａ）は、その上面図、（ｂ）は、その正面図である。
【図４】第１の移動板駆動機構を構成する第１回動軸支持体であって、（ａ）は、その上面図、（ｂ）は、その正面図である。
【図５】第１の移動板駆動機構の動作を説明する図であり、（ａ）は、フリーの状態、（ｂ）は、押圧状態を示す。
【図６】第２の移動板駆動機構を構成する第２レバーユニットであり、（ａ）は、その上面図、（ｂ）は、その正面図である。
【図７】第２の移動板駆動機構を構成する第２回動軸支持体であって、（ａ）は、その上面図、（ｂ）は、その正面図である。
【図８】操作カバーを取り除いた状態の本発明の第１実施例に係るＩＣソケットの上面図である。
【図９】移動板を示しており、（ａ）は、その上面図、（ｂ）は、その正面図である。
【図１０】第２の移動板駆動機構を構成する第１レバーユニットであり、（ａ）はその上面図、（ｂ）はその正面図である。
【図１１】第２の移動板駆動機構を構成する第２回動軸支持体であって、（ａ）はその上面図、（ｂ）はその正面図である。
【図１２】従来のＩＣソケットを示し、（ａ）は、その上面図、（ｂ）は、その正面図である。
【符号の説明】
２０、１０２　　　ソケット基板
２１　　　　　　　収容室
２２、１０７　　　カバーガイド溝
２３　　　　　　　アリ（オス）
３０、１０３　　　移動板
３０ａ　　　　　　第１の側面
３０ｂ　　　　　　第２の側面
３２、１１２　　　貫通孔
３３　　　　　　　ガイド
３４　　　　　　　ストッパ
３４ａ　　　　　　（ストッパの）脚部
３４ｂ　　　　　　（ストッパの）先端面
４０　　　　　　　第１の移動板駆動機構
４１　　　　　　　第１レバーユニット
４２　　　　　　　第１回転軸
４３（４３ａ、４３ｂ、４３ｃ）　第１駆動カム
４４　　　　　　　第１駆動レバー
４４ａ　　　　　　（第１駆動レバーの）末端部
４４ｂ　　　　　　（第１駆動レバーの）基端部
４５　　　　　　　第１回転軸支持体
４５ａ　　　　　　上壁
４５ｂ　　　　　　底壁
４５ｃ　　　　　　左壁
４５ｄ　　　　　　右壁
４５ｅ　　　　　　後壁
４６　　　　　　　軸受溝
４７　　　　　　　アリ（メス）（アリ溝）
５０　　　　　　　第２の移動板駆動機構
５１　　　　　　　第２レバーユニット
５２　　　　　　　第２回転軸
５３（５３ａ、５３ｂ、５３ｃ）　第２駆動カム
５４　　　　　　　第２駆動レバー
５４ａ　　　　　　（第２駆動レバーの）末端部
５４ｂ　　　　　　（第２駆動レバーの）基端部
５５　　　　　　　第２回転軸支持体
５５ａ　　　　　　上壁
５５ｂ　　　　　　底壁
５５ｃ　　　　　　左壁
５５ｄ　　　　　　右壁
５５ｅ　　　　　　後壁
５６　　　　　　　軸受溝
５７　　　　　　　アリ（メス）
１００　　　　　　ＩＣソケット
１０１　　　　　　操作カバー
１０４　　　　　　第１駆動レバー
１０４ａ　　　　　（第１駆動レバーの）末端部
１０４ｂ　　　　　（第１駆動レバーの）基端部
１０５　　　　　　第２駆動レバー
１０５ａ　　　　　（第２駆動レバーの）末端部
１０５ｂ　　　　　（第２駆動レバーの）基端部
１０６ａ〜ｄ　　　位置決め機構
１０８　　　　　　コンタクト
１０９　　　　　　レバー回動軸
１０９ａ　　　　　軸固定孔
１１０　　　　　　移動板駆動軸
１１１　　　　　　コイルバネ
【図１】
2004047137.tif 000003
【図２】
2004047137.tif 000004
【図３】
2004047137.tif 000005
【図４】
2004047137.tif 000006
【図５】
2004047137.tif 000007
【図６】
2004047137.tif 000008
【図７】
2004047137.tif 000009
【図８】
2004047137.tif 000010
【図９】
2004047137.tif 000011
【図１０】
2004047137.tif 000012
【図１１】
2004047137.tif 000013
【図１２】
2004047137.tif 000014